【手続補正書】
【提出日】平成23年7月6日(2011.7.6)
【手続補正１】
【補正対象書類名】明細書
【補正対象項目名】発明の名称
【補正方法】変更
【補正の内容】
【発明の名称】印刷装置、印刷方法及び印刷物の製造方法
【手続補正２】
【補正対象書類名】特許請求の範囲
【補正対象項目名】全文
【補正方法】変更
【補正の内容】
【特許請求の範囲】
【請求項１】
複数のインクジェットヘッドからなるインクジェットヘッドユニットと、
前記インクジェットヘッドユニットを印刷対象物に対して第１方向へ相対移動させる第１移動手段と、
前記インクジェットヘッドユニットを印刷対象物に対して前記第１方向と交差する第２方向へ移動させる第２移動手段とを備え、
前記第１移動手段により前記インクジェットヘッドユニットを相対移動させている間に、印刷対象物への画像の印刷を行わせ、
前記第２移動手段により前記インクジェットヘッドユニットを移動させている間には、印刷対象物への画像の印刷を行わせない印刷装置。
【請求項２】
前記第１方向は、前記複数のインクジェットヘッドのノズル列の延在方向と直交する方向であり、
前記第１移動手段は前記インクジェットヘッドユニットを前記第１方向へ移動させる請求項１に記載の印刷装置。
【請求項３】
前記第２方向は、前記第１方向と直行する方向である請求項１又は２に記載の印刷装置。
【請求項４】
前記第１方向は前記印刷対象物の搬送方向である請求項１乃至３の何れか一項に記載の印刷装置。
【請求項５】
前記インクジェットヘッドユニットは搬送経路上に停止した前記印刷対象物に対し、前記第１移動手段による移動と前記第２移動手段による移動を交互に繰り返しながら印刷を行う請求項１乃至４の何れか一項に記載の印刷装置。
【請求項６】
前記印刷対象物を搬送経路に沿って搬送する紙送り機構と、
印刷テーブルとを備え、
前記印刷テーブルは、印刷動作中に搬送経路を挟んで前記インクジェットヘッドに対向する請求項１乃至５の何れか一項に記載の印刷装置。
【請求項７】
前記印刷テーブルは、エアー吸引による吸着テーブルである請求項６に記載の印刷装置。
【請求項８】
前記印刷対象物をロール状に巻回した状態から繰り出す紙供給機構と、
印刷完了後の前記印刷対象物をロール状に巻き取る紙巻取り機構とを備えた請求項１乃至７の何れか一項に記載の印刷装置。
【請求項９】
前記印刷対象物は連続紙であり、
搬送経路上に停止させた前記連続紙に対する画像の印刷完了後、画像の位置を表示するマークの印刷を行わせる請求項１乃至８の何れか一項に記載の印刷装置。
【請求項１０】
前記マークの印刷における前記連続紙の送り停止を、先行印刷したマークで制御する請求項９に記載の印刷装置。
【請求項１１】
前記マークを印刷する領域は、画像を印刷する領域の外側である請求項９又は１０に記載の印刷装置。
【請求項１２】
請求項１乃至１１の何れか一項に記載の印刷装置を用いて、印刷対象物に印刷する印刷方法。
【請求項１３】
請求項１乃至１１の何れか一項に記載の印刷装置を用いて印刷対象物に印刷することにより、印刷物を製造する方法。
【手続補正３】
【補正対象書類名】明細書
【補正対象項目名】０００５
【補正方法】変更
【補正の内容】
【０００５】
本発明の連続紙の印刷方法は、インクジェットヘッドを主走査方向および副走査方向に移動させて、連続紙に画像を印刷すると共に画像の位置を表示するマークを印刷する連続紙の印刷方法であって、紙送り経路上に停止させた連続紙に対し、その延在方向に主走査を行うと共に幅方向に副走査を行って画像の印刷を行う画像印刷工程と、画像の印刷完了後、インクジェットヘッドを不動とした状態で連続紙を延在方向に送りながらマークの印刷を行うマーク印刷工程とを備えたことを特徴とする。
【手続補正４】
【補正対象書類名】明細書
【補正対象項目名】０００６
【補正方法】変更
【補正の内容】
【０００６】
同様に、本発明の連続紙の印刷装置は、連続紙を紙送り経路に沿ってその延在方向に送る紙送り機構と、連続紙に画像の印刷を行うインクジェットヘッドを搭載したヘッドユニットと、ヘッドユニットを搭載すると共に、搭載したヘッドユニットを連続紙の延在方向である主走査方向および幅方向である副走査方向に移動させるＸ・Ｙ移動機構と、紙送り経路に臨み、連続紙を挟んで印刷動作中のインクジェットヘッドに対峙する印刷テーブルと、紙送り機構、インクジェットヘッドおよびＸ・Ｙ移動機構を制御する制御手段とを備え、制御手段は、紙送り経路上に停止させた連続紙に対し、その延在方向に主走査を行うと共に幅方向に副走査を行って画像の印刷を行わせると共に、画像の印刷完了後、インクジェットヘッドを不動とした状態で連続紙を延在方向に送りながらマークの印刷を行わせることを特徴とする。
【手続補正５】
【補正対象書類名】明細書
【補正対象項目名】０００７
【補正方法】変更
【補正の内容】
【０００７】
これらの構成によれば、連続紙に画像およびマークを印刷する場合に、先ず紙送り経路上に停止させた連続紙に対し、インクジェットヘッドの主走査および副走査を行って画像の印刷を行い、続いて連続紙のみを延在方向に送りながらマークの印刷を行うようにしている。ところで、連続紙に連続的に印刷を行う場合には、一単位の印刷を行った後、連続紙を送る必要があるが、この紙送りを実行する間は印刷を休止することになる。そこで、この紙送りの際にインクジェットヘッドを駆動してマークの印刷を行い、一連の印刷動作の中で、印刷休止時間を極力少なくするようにしている。これにより、全体として印刷速度を上げることができる。
【手続補正６】
【補正対象書類名】明細書
【補正対象項目名】０００８
【補正方法】変更
【補正の内容】
【０００８】
この場合、画像印刷工程における印刷解像度に対し、マーク印刷工程における印刷解像度が低いことが、好ましい。
【手続補正７】
【補正対象書類名】明細書
【補正対象項目名】０００９
【補正方法】変更
【補正の内容】
【０００９】
同様に、制御手段は、画像の印刷に対しマークの印刷を低い印刷解像度で行わせることが、好ましい。
【手続補正８】
【補正対象書類名】明細書
【補正対象項目名】００１０
【補正方法】変更
【補正の内容】
【００１０】
これらの構成によれば、画像の印刷においては、所望の高解像度で行って画像の印刷品質を高め、マークの印刷においては、低解像度で行って連続紙の送り速度を速くするようにしている。これにより、画像の印刷品質を損なうことなく、マークの印刷を可能とし、且つ全体として印刷速度を上げることができる。
【手続補正９】
【補正対象書類名】明細書
【補正対象項目名】００１１
【補正方法】変更
【補正の内容】
【００１１】
これらの場合、マーク印刷工程における連続紙の送り停止を、先行印刷したマークで制御することが、好ましい。
【手続補正１０】
【補正対象書類名】明細書
【補正対象項目名】００１２
【補正方法】変更
【補正の内容】
【００１２】
同様に、制御手段は、マーク印刷における連続紙の送り停止を、先行印刷したマークで制御することが、好ましい。
【手続補正１１】
【補正対象書類名】明細書
【補正対象項目名】００１３
【補正方法】変更
【補正の内容】
【００１３】
これらの構成によれば、先行印刷したマークにより、続く連続紙の送り停止を制御するため、連続紙の送りを常に正確に行うことができる。特に、連続紙に長く連続した印刷を行う場合でも、画像位置の精度を安定させることができる。
【手続補正１２】
【補正対象書類名】明細書
【補正対象項目名】００１４
【補正方法】変更
【補正の内容】
【００１４】
これらの場合、連続紙には、画像を印刷する画像印刷領域の外側に、マークを印刷するマーク印刷領域が設けられていることが、好ましい。
【手続補正１３】
【補正対象書類名】明細書
【補正対象項目名】００１５
【補正方法】変更
【補正の内容】
【００１５】
同様に、連続紙に対し、画像を印刷する画像印刷領域の外側に、マークを印刷するマーク印刷領域が設定されていることが、好ましい。
【手続補正１４】
【補正対象書類名】明細書
【補正対象項目名】００１６
【補正方法】変更
【補正の内容】
【００１６】
これらの構成によれば、画像を印刷する場合に、画像印刷領域に対してのみインクジェットヘッドを走査すればよく、画像印刷のための時間を短縮することができる。
【手続補正１５】
【補正対象書類名】明細書
【補正対象項目名】００１７
【補正方法】変更
【補正の内容】
【００１７】
これらの場合、マーク印刷工程におけるマークの印刷を、インクジェットヘッドの全ノズルからのインク吐出で行うことが、好ましい。
【手続補正１６】
【補正対象書類名】明細書
【補正対象項目名】００１８
【補正方法】変更
【補正の内容】
【００１８】
同様に、制御手段は、マークの印刷を前記インクジェットヘッドの全ノズルからのインク吐出で行わせることが、好ましい。
【手続補正１７】
【補正対象書類名】明細書
【補正対象項目名】００１９
【補正方法】変更
【補正の内容】
【００１９】
これらの構成によれば、インクジェットヘッドの全ノズルからのインク吐出する、いわゆるフラッシングを、連続紙に対しマーク印刷として行うことになるため、本来のフラッシングのための動作時間をゼロにすることができる。
【手続補正１８】
【補正対象書類名】明細書
【補正対象項目名】００２０
【補正方法】変更
【補正の内容】
【００２０】
これらの場合、連続紙は、ロール状に巻回した状態から繰り出され、画像およびマークの印刷完了後、ロール状に巻き取られることが、好ましい。
【手続補正１９】
【補正対象書類名】明細書
【補正対象項目名】００２１
【補正方法】変更
【補正の内容】
【００２１】
同様に、連続紙をロール状に巻回した状態から繰り出す紙供給機構と、印刷完了後の連続紙をロール状に巻き取る紙巻取り機構と、更に備えることが好ましい。
【手続補正２０】
【補正対象書類名】明細書
【補正対象項目名】００２２
【補正方法】変更
【補正の内容】
【００２２】
これらの構成によれば、連続紙を適切に供給することができると共に、画像およびマークが印刷された連続紙を、コンパクトに纏めてストックすることができる。
【手続補正２１】
【補正対象書類名】明細書
【補正対象項目名】００２３
【補正方法】変更
【補正の内容】
【００２３】
これらの場合、印刷テーブルは、エアー吸引による吸着テーブルで構成されていることが、好ましい。
【手続補正２２】
【補正対象書類名】明細書
【補正対象項目名】００２４
【補正方法】変更
【補正の内容】
【００２４】
この構成によれば、印刷テーブル上に導入して連続紙の印刷部分を、平坦且つ安定に保持することができる。このため、印刷品質の良好な印刷を安定して行うことができる。
【手続補正２３】
【補正対象書類名】明細書
【補正対象項目名】００２５
【補正方法】変更
【補正の内容】
【００２５】
この場合、紙送り機構は、印刷テーブルのエアー吸引に抗して連続紙を送ることが、好ましい。
【手続補正２４】
【補正対象書類名】明細書
【補正対象項目名】００２６
【補正方法】変更
【補正の内容】
【００２６】
この構成によれば、エアー吸引のための制御を単純化することができると共に、紙送り機構と印刷テーブルとの間で連続紙を張った状態で送ることができるため、連続紙の送り精度を高めることができる。
【手続補正２５】
【補正対象書類名】明細書
【補正対象項目名】００２７
【補正方法】変更
【補正の内容】
【００２７】
本発明の他の連続紙の印刷方法は、インクジェットヘッドを主走査方向に往復動させると共に連続紙を副走査方向に送って、連続紙に画像の印刷と画像の位置を表示するマークの印刷とを行う連続紙の印刷方法であって、画像を印刷する画像印刷領域と、マークを印刷するマーク印刷領域とを区画し、マーク印刷領域におけるマーク印刷を、画像印刷領域における画像印刷より低い印刷解像度で行うことを特徴とする。
【手続補正２６】
【補正対象書類名】明細書
【補正対象項目名】００２８
【補正方法】変更
【補正の内容】
【００２８】
同様に、本発明の他の連続紙の印刷装置は、インクジェットヘッドを主走査方向に往復動させると共に連続紙を副走査方向に送って、連続紙に画像の印刷と画像の位置を表示するマークの印刷とを行う連続紙の印刷装置であって、マークを印刷するマーク印刷領域におけるマーク印刷を、画像を印刷する画像印刷領域における画像印刷より低い印刷解像度で行うことを特徴とする。
【手続補正２７】
【補正対象書類名】明細書
【補正対象項目名】００２９
【補正方法】変更
【補正の内容】
【００２９】
これらの構成によれば、画像の印刷においては、所望の高解像度で行って画像の印刷品質を高め、マークの印刷においては、低解像度で行ってインクジェットヘッドの移動および／または連続紙の送り速度を速くするようにしている。これにより、画像の印刷品質を損なうことなく、マークの印刷を可能とし、且つ全体として印刷速度を上げることができる。